(57)【要約】【課題】利便性良好にソフトウェア情報を更新する。【解決手段】放送受信機１は、１のデジタル放送を受信する受信部１１Ａと、他のデジタル放送を受信する受信部１１Ｂと、ソフトウェアを更新する旨の指示情報である更新指示信号を受信する制御信号受信部１１Ｃと、受信部１１Ａによって受信された１のデジタル放送に対応する映像をディスプレイ１５に表示する表示制御部１６１と、を備え、放送受信機１に装着されたＩＣカード２は、制御信号受信部１１Ｃによって更新指示信号が受信された場合に、受信部１１Ｂを介して、ソフトウェア情報を取得して、取得されたソフトウェア情報をインストールする更新実行部２１１を備えている。【選択図】図１
2008199242.tif 000002
【特許請求の範囲】
【請求項１】
デジタル放送を受信し、外部から視認可能にモニタに出力可能に構成されると共に、デジタル放送を介して、暗号化されたデジタル放送を復号化するファームウェア情報を受信してインストール可能に構成されたデジタル放送受信装置であって、
１のデジタル放送を受信する第１受信手段と、
他のデジタル放送を受信する第２受信手段と、
ファームウェアを更新する旨の指示情報である更新指示信号を受信する第３受信手段と、
前記第１受信手段によって受信された１のデジタル放送に対応する映像をモニタに表示する表示制御手段と、
前記ファームウェア情報を格納する復号化情報記憶手段と、
前記第１受信手段によって暗号化されたデジタル放送が受信された場合に、前記復号化情報記憶手段に格納されたファームウェアを介して、受信された暗号化されたデジタル放送を復号化する復号化手段と、
前記第３受信手段によって更新指示信号が受信された場合に、前記第２受信手段を介して、ファームウェア情報を取得して、取得されたファームウェア情報をインストールする更新実行手段と、
ＩＣカードが着脱自在に構成され、装着されたＩＣカードとの通信を行う通信手段と、
を備え、
前記更新実行手段、復号化情報記憶手段及び復号化手段は、前記通信手段に装着されたＩＣカード内に形成されており、
前記表示制御手段は、前記第１受信手段によって暗号化されたデジタル放送が受信された場合に、前記復号化手段によって復号化されたデジタル放送に対応する映像をモニタに表示すると共に、前記第３受信手段によって更新指示信号が受信された場合に、暗号化されたデジタル放送を表示することができない旨の情報をモニタに表示し、
前記第１受信手段、第２受信手段及び第３受信手段は、ケーブルを介して情報を受信し、
前記第３受信手段は、放送信号の周波数帯域とは異なる予め設定された特定の周波数帯域を介して、更新指示信号を受信することを特徴とするデジタル放送受信装置。
【請求項２】
デジタル放送を受信し、外部から視認可能にモニタに出力可能に構成されると共に、デジタル放送を介してソフトウェア情報を受信してインストール可能に構成されたデジタル放送受信装置であって、
１のデジタル放送を受信する第１受信手段と、
他のデジタル放送を受信する第２受信手段と、
ソフトウェアを更新する旨の指示情報である更新指示信号を受信する第３受信手段と、
前記第１受信手段によって受信された１のデジタル放送に対応する映像をモニタに表示する表示制御手段と、
前記第３受信手段によって更新指示信号が受信された場合に、前記第２受信手段を介して、ソフトウェア情報を取得して、取得されたソフトウェア情報をインストールする更新実行手段と、
を備えることを特徴とするデジタル放送受信装置。
【請求項３】
暗号化されたデジタル放送を復号化するファームウェア情報を格納する復号化情報記憶手段と、
前記第１受信手段又は第２受信手段によって暗号化されたデジタル放送が受信された場合に、前記復号化情報記憶手段に格納されたファームウェアを介して、受信された暗号化されたデジタル放送を復号化する復号化手段と、
を備え、
前記表示制御手段は、前記第１受信手段又は第２受信手段によって暗号化されたデジタル放送が受信された場合に、前記復号化手段によって復号化されたデジタル放送に対応する映像をモニタに表示し、
前記ソフトウェア情報は、前記復号化情報記憶手段に格納されたファームウェア情報であることを特徴とする請求項２に記載のデジタル放送受信装置。
【請求項４】
ＩＣカードが着脱自在に構成され、装着されたＩＣカードとの通信を行う通信手段を備え、
前記更新実行手段、復号化情報記憶手段及び復号化手段は、前記通信手段に装着されたＩＣカード内に形成されていることを特徴とする請求項３に記載のデジタル放送受信装置。
【請求項５】
前記第１受信手段、第２受信手段及び第３受信手段は、ケーブルを介して情報を受信し、
前記第３受信手段は、放送信号の周波数帯域とは異なる予め設定された特定の周波数帯域を介して、更新指示信号を受信することを特徴とする請求項３又は請求項４に記載のデジタル放送受信装置。
【請求項６】
前記表示制御手段は、前記第３受信手段によって更新指示信号が受信された場合に、暗号化されたデジタル放送を表示することができない旨の情報をモニタに表示することを特徴とする請求項３〜請求項５のいずれかに記載のデジタル放送受信装置。
【発明の詳細な説明】
【技術分野】
【０００１】
本発明は、デジタル放送を受信し、外部から視認可能にモニタに出力可能に構成されると共に、デジタル放送を介してソフトウェア情報を受信してインストール可能に構成されたデジタル放送受信装置に関する。
【背景技術】
【０００２】
近年、デジタル放送の普及に伴い、放送局と視聴者との間における双方向通信も可能となり、番組毎に課金する有料放送も可能となった。有料放送を行う放送システムにおいては、視聴者を識別して視聴が許可された視聴者に対してのみ、番組の視聴を可能とする仕組みが必要となる。例えば、ＢＳデジタル放送を受信する場合には、受信装置毎にＢ−ＣＡＳ（ＢＳ  Ｃｏｎｄｉｔｉｏｎａｌ  Ａｃｃｅｓｓ  Ｓｙｓｔｅｍ）カードというＩＣカードが必要とされ、暗号化された（＝スクランブルのかけられた）放送信号を復号化（＝デスクランブル）するためには、この放送局（＝番組提供者）側と契約し、復号化するための情報を記憶したＢ−ＣＡＳカードが不可欠である。
【０００３】
有料放送を行う放送システムに関しては、種々の装置、方法等が提案されている。例えば、内部にＢ−ＣＡＳカード機能及びＳ−ＣＡＳカード機能を備えたＩＣカードが挿入さデジタル放送を受信した時には限定受信放送用ＩＣカード内部のＢ−ＣＡＳカード機能を、サーバ型放送受信した時には限定受信放送用ＩＣカード内部のＳ−ＣＡＳカード機能を用いて視聴者認証を受け、コンテンツ信号の復号化を行う受信装置が開示されている（特許文献１参照）。この受信装置によれば、暗号化されたデジタル放送及びサーバ型放送の双方を受信することができる。
【特許文献１】特開２００７−１３６８５号公報
【発明の開示】
【発明が解決しようとする課題】
【０００４】
一方、北米ではケーブルテレビのデジタル化に伴い、オープンケーブル放送を開始している。そして、有料放送に対応できるように、復号化処理を行うケーブルカード（＝Ｃａｂｌｅ  Ｃａｒｄ）というＣＰＵ（Ｃｅｎｔｒａｌ  Ｐｒｏｃｅｓｓｉｎｇ  Ｕｎｉｔ）が搭載されたＩＣカードを装着可能とされている。また、ケーブルカード内に搭載されたＣＰＵは、ケーブルを介してファームウェアを受信し、更新する機能を有している。
【０００５】
このシステムでは、ケーブルカード内のファームウェアの更新が容易に行われるため、利便性を向上することができる。しかしながら、ケーブルカード内に搭載されたＣＰＵが、ケーブルを介してファームウェアを受信している間は、放送を受信する機能がファームウェアを受信するために使用されるため、ユーザはテレビジョンの視聴をすることができず、ユーザの利便性が損なわれるという課題があった。
【０００６】
本発明は、上記課題に鑑みてなされたものであって、利便性良好にソフトウェア情報を更新することの可能なデジタル放送受信装置を提供することを目的としている。
【課題を解決するための手段】
【０００７】
上記目的を達成するために請求項１に記載のデジタル放送受信装置は、デジタル放送を受信し、外部から視認可能にモニタに出力可能に構成されると共に、デジタル放送を介して、暗号化されたデジタル放送を復号化するファームウェア情報を受信してインストール可能に構成されたデジタル放送受信装置であって、１のデジタル放送を受信する第１受信手段と、他のデジタル放送を受信する第２受信手段と、ファームウェアを更新する旨の指示情報である更新指示信号を受信する第３受信手段と、前記第１受信手段によって受信された１のデジタル放送に対応する映像をモニタに表示する表示制御手段と、前記ファームウェア情報を格納する復号化情報記憶手段と、前記第１受信手段によって暗号化されたデジタル放送が受信された場合に、前記復号化情報記憶手段に格納されたファームウェアを介して、受信された暗号化されたデジタル放送を復号化する復号化手段と、前記第３受信手段によって更新指示信号が受信された場合に、前記第２受信手段を介して、ファームウェア情報を取得して、取得されたファームウェア情報をインストールする更新実行手段と、ＩＣカードが着脱自在に構成され、装着されたＩＣカードとの通信を行う通信手段と、を備え、前記更新実行手段、復号化情報記憶手段及び復号化手段が、前記通信手段に装着されたＩＣカード内に形成されており、前記表示制御手段が、前記第１受信手段によって暗号化されたデジタル放送が受信された場合に、前記復号化手段によって復号化されたデジタル放送に対応する映像をモニタに表示すると共に、前記第３受信手段によって更新指示信号が受信された場合に、暗号化されたデジタル放送を表示することができない旨の情報をモニタに表示し、前記第１受信手段、第２受信手段及び第３受信手段が、ケーブルを介して情報を受信し、前記第３受信手段が、放送信号の周波数帯域とは異なる予め設定された特定の周波数帯域を介して、更新指示信号を受信することを特徴としている。
【０００８】
請求項２に記載のデジタル放送受信装置は、デジタル放送を受信し、外部から視認可能にモニタに出力可能に構成されると共に、デジタル放送を介してソフトウェア情報を受信してインストール可能に構成されたデジタル放送受信装置であって、１のデジタル放送を受信する第１受信手段と、他のデジタル放送を受信する第２受信手段と、ソフトウェアを更新する旨の指示情報である更新指示信号を受信する第３受信手段と、前記第１受信手段によって受信された１のデジタル放送に対応する映像をモニタに表示する表示制御手段と、前記第３受信手段によって更新指示信号が受信された場合に、前記第２受信手段を介して、ソフトウェア情報を取得して、取得されたソフトウェア情報をインストールする更新実行手段と、を備えることを特徴としている。
【０００９】
請求項３に記載のデジタル放送受信装置は、請求項２に記載のデジタル放送受信装置であって、暗号化されたデジタル放送を復号化するファームウェア情報を格納する復号化情報記憶手段と、前記第１受信手段又は第２受信手段によって暗号化されたデジタル放送が受信された場合に、前記復号化情報記憶手段に格納されたファームウェアを介して、受信された暗号化されたデジタル放送を復号化する復号化手段と、を備え、前記表示制御手段が、前記第１受信手段又は第２受信手段によって暗号化されたデジタル放送が受信された場合に、前記復号化手段によって復号化されたデジタル放送に対応する映像をモニタに表示し、前記ソフトウェア情報が、前記復号化情報記憶手段に格納されたファームウェア情報であることを特徴としている。
【００１０】
請求項４に記載のデジタル放送受信装置は、請求項３に記載のデジタル放送受信装置であって、ＩＣカードが着脱自在に構成され、装着されたＩＣカードとの通信を行う通信手段を備え、前記更新実行手段、復号化情報記憶手段及び復号化手段が、前記通信手段に装着されたＩＣカード内に形成されていることを特徴としている。
【００１１】
請求項５に記載のデジタル放送受信装置は、請求項３又は請求項４に記載の放送受信装置であって、前記第１受信手段、第２受信手段及び第３受信手段が、ケーブルを介して情報を受信し、前記第３受信手段が、放送信号の周波数帯域とは異なる予め設定された特定の周波数帯域を介して、更新指示信号を受信することを特徴としている。
【００１２】
請求項６に記載のデジタル放送受信装置は、請求項３〜請求項５のいずれかに記載の放送受信装置であって、前記表示制御手段が、前記第３受信手段によって更新指示信号が受信された場合に、暗号化されたデジタル放送を表示することができない旨の情報をモニタに表示することを特徴としている。
【発明の効果】
【００１３】
請求項１に記載のデジタル放送受信装置によれば、第１受信手段によって、１のデジタル放送が受信され、受信された１のデジタル放送に対応する映像がモニタに表示される。また、第３受信手段によって、ファームウェアを更新する旨の指示情報である更新指示信号が受信された場合に、第２受信手段によって、他のデジタル放送を介してファームウェア情報が受信されて取得され、更新実行手段によって、取得されたファームウェア情報がインストールされるため、利便性良好にファームウェア情報を更新することができる。
【００１４】
すなわち、ファームウェア情報が受信する受信手段（＝第２受信手段）とは別に、デジタル放送を受信する受信手段（＝第１受信手段）を備えるため、第２受信手段を介してファームウェア情報を受信中であっても、第１受信手段を介してデジタル放送の番組を視聴することができるので、利便性良好にファームウェア情報を更新することができるのである。
【００１５】
また、復号化情報記憶手段に、暗号化されたデジタル放送を復号化するファームウェア情報が格納されており、第１受信手段又は第２受信手段によって暗号化されたデジタル放送が受信された場合に、復号化手段によって、復号化情報記憶手段に格納されたファームウェアを介して、受信された暗号化されたデジタル放送が復号化され、復号化されたデジタル放送に対応する映像がモニタに表示されるため、暗号化されたデジタル放送を復号化して視聴することができるので、利便性を向上することができる。
【００１６】
更に、ファームウェア情報が、復号化情報記憶手段に格納されているため、利便性良好に復号化情報記憶手段に格納されたファームウェア情報を更新することができる。
【００１７】
加えて、更新実行手段、復号化情報記憶手段及び復号化手段が形成されたＩＣカードとの通信が行われ、ＩＣカードが着脱自在に構成されているため、利便性を更に向上することができる。
【００１８】
すなわち、復号化処理に関する機能を搭載するＩＣカードが着脱自在に構成されているため、例えば、新たなＩＣカードを装着するべくユーザに通知することによって、放送局（＝番組提供者）側が復号化処理に関する機能を改変等することができるので、利便性を更に向上することができるのである。
【００１９】
また、第１受信手段、第２受信手段及び第３受信手段によって、ケーブルを介して情報が受信され、第３受信手段によって、放送信号の周波数帯域とは異なる予め設定された特定の周波数帯域を介して、更新指示信号が受信されるため、更新指示信号を確実に受信することができる。
【００２０】
すなわち、放送信号の周波数帯域とは異なる予め設定された特定の周波数帯域（例えば、ＵＨＦ（＝Ｕｌｔｒａ  Ｈｉｇｈ  Ｆｒｅｑｕｅｎｃｙ）の周波数帯域と、ＶＨＦ（＝Ｖｅｒｙ  Ｈｉｇｈ  Ｆｒｅｑｕｅｎｃｙ）の波数帯域と、の間の周波数帯域）を介して、更新指示信号が受信されるため、帯域フィルタ等を介して放送波の周波数帯域と確実に分離することができるので、更新指示信号を確実に受信することができるのである。
【００２１】
更に、第３受信手段によって更新指示信号が受信された場合に、暗号化されたデジタル放送を表示することができない旨の情報がモニタに表示されるため、利便性を更に向上することができる。
【００２２】
すなわち、復号化情報記憶手段に格納されたファームウェア情報を更新中は、復号化処理を実行することができないため、暗号化されたデジタル放送を表示することができない。そこで、その旨の情報がモニタに表示されることによって、ユーザは、暗号化されたデジタル放送を表示することができないことを知ることができるので、利便性を更に向上することができるのである。
【００２３】
請求項２に記載のデジタル放送受信装置によれば、第１受信手段によって、１のデジタル放送が受信され、受信された１のデジタル放送に対応する映像がモニタに表示される。また、第３受信手段によって、ソフトウェアを更新する旨の指示情報である更新指示信号が受信された場合に、第２受信手段によって、他のデジタル放送を介してソフトウェア情報が受信されて取得され、更新実行手段によって、取得されたソフトウェア情報がインストールされるため、利便性良好にソフトウェア情報を更新することができる。
【００２４】
すなわち、ソフトウェア情報が受信する受信手段（＝第２受信手段）とは別に、デジタル放送を受信する受信手段（＝第１受信手段）を備えるため、第２受信手段を介してソフトウェア情報を受信中であっても、第１受信手段を介してデジタル放送の番組を視聴することができるので、利便性良好にソフトウェア情報を更新することができるのである。
【００２５】
請求項３に記載のデジタル放送受信装置によれば、復号化情報記憶手段に、暗号化されたデジタル放送を復号化するファームウェア情報が格納されており、第１受信手段又は第２受信手段によって暗号化されたデジタル放送が受信された場合に、復号化手段によって、復号化情報記憶手段に格納されたファームウェアを介して、受信された暗号化されたデジタル放送が復号化され、復号化されたデジタル放送に対応する映像がモニタに表示されるため、暗号化されたデジタル放送を復号化して視聴することができるので、利便性を向上することができる。
【００２６】
また、ソフトウェア情報が、復号化情報記憶手段に格納されたファームウェア情報であるため、利便性良好に復号化情報記憶手段に格納されたファームウェア情報を更新することができる。
【００２７】
請求項４に記載のデジタル放送受信装置によれば、更新実行手段、復号化情報記憶手段及び復号化手段が形成されたＩＣカードとの通信が行われ、ＩＣカードが着脱自在に構成されているため、利便性を更に向上することができる。
【００２８】
すなわち、復号化処理に関する機能を搭載するＩＣカードが着脱自在に構成されているため、例えば、新たなＩＣカードを装着するべくユーザに通知することによって、放送局（＝番組提供者）側が復号化処理に関する機能を改変等することができるので、利便性を更に向上することができるのである。
【００２９】
請求項５に記載のデジタル放送受信装置によれば、第１受信手段、第２受信手段及び第３受信手段によって、ケーブルを介して情報が受信され、第３受信手段によって、放送信号の周波数帯域とは異なる予め設定された特定の周波数帯域を介して、更新指示信号が受信されるため、更新指示信号を確実に受信することができる。
【００３０】
すなわち、放送信号の周波数帯域とは異なる予め設定された特定の周波数帯域（例えば、ＵＨＦ（＝Ｕｌｔｒａ  Ｈｉｇｈ  Ｆｒｅｑｕｅｎｃｙ）の周波数帯域と、ＶＨＦ（＝Ｖｅｒｙ  Ｈｉｇｈ  Ｆｒｅｑｕｅｎｃｙ）の波数帯域と、の間の周波数帯域）を介して、更新指示信号が受信されるため、帯域フィルタ等を介して放送波の周波数帯域と確実に分離することができるので、更新指示信号を確実に受信することができるのである。
【００３１】
請求項６に記載のデジタル放送受信装置によれば、第３受信手段によって更新指示信号が受信された場合に、暗号化されたデジタル放送を表示することができない旨の情報がモニタに表示されるため、利便性を更に向上することができる。
【００３２】
すなわち、復号化情報記憶手段に格納されたファームウェア情報を更新中は、復号化処理を実行することができないため、暗号化されたデジタル放送を表示することができない。そこで、その旨の情報がモニタに表示されることによって、ユーザは、暗号化されたデジタル放送を表示することができないことを知ることができるので、利便性を更に向上することができるのである。
【発明を実施するための最良の形態】
【００３３】
以下に本発明の実施形態を、図面を参照しながら説明する。図６は、従来の放送受信機の構成の一例を示すブロック図である。放送受信機１０は、ケーブルを介してアナログ放送及びテレビジョン放送を受信し、ディスプレイ１０５に出力するものであって、受信部１０１Ａ、制御信号受信部１０１Ｃ、ＭＰＥＧ２デコード部１０２、ＮＴＳＣデコーダ１０３、出力部１０４、ディスプレイ１０５、ＣＰＵ１０６、ＲＯＭ１０７、及び、インターフェイス部１０８を備えている。
【００３４】
ＣＰＵ（Ｃｅｎｔｒａｌ  Ｐｒｏｃｅｓｓｉｎｇ  Ｕｎｉｔ）１０６は、放送受信機１０全体の動作を制御するものである。ＲＯＭ（Ｒｅａｄ  Ｏｎｌｙ  Ｍｅｍｏｒｙ）１０７は、ＣＰＵ１０６を動作させる制御プログラム等を格納するものである。インターフェイス部１０８は、ＩＣカード２が着脱自在に構成され、ＩＣカード２との間の通信を行うものである。
【００３５】
受信部１０１Ａは、ケーブルを介してテレビジョン放送を受信して復調するものであって、チューナ部１０１１、復調部１０１２、及び、ＴＳデマルチプレクサ１０１３を備えている。制御信号受信部１０１Ｃは、ケーブルを介してファームウェアを更新する旨の指示情報である更新指示信号を受信するものである。
【００３６】
チューナ部１０１１は、ケーブルを介してテレビジョン放送波から、予め設定されたチャンネルの放送を選局するものである。復調部１０１２は、チューナ部１０１１からの出力情報を復調するものである。ＴＳ（Ｔｒａｎｓｐｏｒｔ  Ｓｔｒｅａｍ）デマルチプレクサ１０１３は、復調部１０１２によって復調された出力情報を種別毎に分離して出力するものである。
【００３７】
ＭＰＥＧ（Ｍｏｔｉｏｎ  Ｐｉｃｔｕｒｅ  Ｅｘｐｅｒｔｓ  Ｇｒｏｕｐ）２デコード部１０２は、ＴＳデマルチプレクサ１０１３から出力された映像情報を圧縮前の映像情報に復号化するものである。
【００３８】
ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）デコーダ１０３は、アナログ放送からＮＴＳＣ方式のテレビジョン信号を映像情報に変換するものである。
【００３９】
出力部１０４は、ＭＰＥＧ２デコード部１０２によって復号化された映像情報又はＮＴＳＣデコーダ１０３からの映像情報をディスプレイ１０５に対して出力するものである。ディスプレイ１０５は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、出力部１０４から出力されたテレビジョン信号に対応する映像を表示するものである。
【００４０】
ＩＣカード２は、受信部１０１から暗号化されたデジタル放送が受信された場合に、受信された暗号化されたデジタル放送を復号化するものであって、ＣＰＵ２１、メモリ２２、復号部２３、及び、インターフェイス部２４を備えている。
【００４１】
ＣＰＵ２１は、ＩＣカード２全体の制御を行うものである。インターフェイス部２４は、放送受信機１０との間の通信を行うものである。メモリ２２は、フラッシュメモリ等の不揮発性メモリであって、復号部２３が復号化処理を実行するためのファームウェア情報を格納するものである。復号部２３は、受信部１０１Ａから暗号化されたデジタル放送が受信された場合に、インターフェイス部２４を介して復調部１０１２から入力される暗号化されたデジタル放送を復号化し、復号化された映像情報を、インターフェイス部２４を介してＴＳ（Ｔｒａｎｓｐｏｒｔ  Ｓｔｒｅａｍ）デマルチプレクサ１０１３へ出力するものである。
【００４２】
制御信号受信部１０１Ｃを介して、ファームウェアを更新する旨の指示情報である更新指示信号が受信された場合には、ＣＰＵ２１は、ＣＰＵ１０６に対して、チューナ部１０１１を、予め設定されたファームウェア情報を受信するチャンネル（＝周波数）に設定させ、図の太線で示すように、チューナ部１０１１から受信されたファームウェア情報は、復調部１０１２で復調され、インターフェイス部１０８、インターフェイス部２４を介して、メモリ２２に格納される。従って、ファームウェア情報を受信している間は、チューナ部１０１１及び復調部１０１２がファームウェア情報の受信に使用されているため、ユーザはテレビジョンの視聴をすることができないのである。
【００４３】
図２は、本発明に係る放送受信機１の構成の一例を示すブロック図である。放送受信機１は、ケーブルを介してアナログ放送及びテレビジョン放送を受信し、ディスプレイ１５に出力するものであって、受信部１１Ａ、受信部１１Ｂ、制御信号受信部１１Ｃ、ＭＰＥＧ２デコード部１２、ＮＴＳＣデコーダ１３、出力部１４、ディスプレイ１５、ＣＰＵ１６、ＲＯＭ１７、及び、インターフェイス部１８を備えている。
【００４４】
ＣＰＵ１６は、放送受信機１０全体の動作を制御するものである。ＲＯＭ（Ｒｅａｄ  Ｏｎｌｙ  Ｍｅｍｏｒｙ）１７は、ＣＰＵ１６を動作させる制御プログラム等を格納するものである。インターフェイス部１８（通信手段に相当する）は、ＩＣカード２が着脱自在に構成され、ＩＣカード２との間の通信を行うものである。
【００４５】
受信部１１Ａ（第１受信手段に相当する）、受信部１１Ｂ（第２受信手段に相当する）は、それぞれ、ケーブルを介してテレビジョン放送を受信して復調するものであって、略同一の構成を有するため、ここでは、便宜上、受信部１１Ａについて説明する。受信部１１Ａは、チューナ部１１１Ａ、復調部１１２Ａ、及び、ＴＳデマルチプレクサ１１３Ａを備えている。制御信号受信部１１Ｃ（第３受信手段に相当する）は、ケーブルを介してファームウェアを更新する旨の指示情報である更新指示信号を受信するものである。ここで、制御信号受信部１１Ｃは、放送信号の周波数帯域とは異なる予め設定された特定の周波数帯域（例えば、ＵＨＦの周波数帯域と、ＶＨＦの周波数帯域と、の間の周波数帯域）を介して、更新指示信号を受信するものである。
【００４６】
チューナ部１１１Ａは、ケーブルを介してテレビジョン放送波から、予め設定されたチャンネルの放送を選局するものである。復調部１１２Ａは、チューナ部１１１Ａからの出力情報を復調するものである。ＴＳデマルチプレクサ１１３Ａは、復調部１１２Ａによって復調された出力情報を種別毎に分離して出力するものである。
【００４７】
ＭＰＥＧ２デコード部１２は、ＴＳデマルチプレクサ１１３Ａ、１１３Ｂから出力された映像情報を圧縮前の映像情報に復号化するものである。
【００４８】
ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）デコーダ１３は、アナログ放送からＮＴＳＣ方式のテレビジョン信号を映像情報に変換するものである。
【００４９】
出力部１４は、ＭＰＥＧ２デコード部１２によって復号化された映像情報又はＮＴＳＣデコーダ１３からの映像情報をディスプレイ１５に対して出力するものである。ディスプレイ１５（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、出力部１４から出力されたテレビジョン信号に対応する映像を表示するものである。
【００５０】
また、ＣＰＵ１６は、機能的に、表示制御部１６１を備えている。ここでは、ＭＰＵ１１が、ＲＯＭ１７等に予め格納された制御プログラムを読み出して実行することにより、表示制御部１６１等の機能部として機能するものである。
【００５１】
表示制御部１６１（表示制御手段に相当する）は、受信部１１Ａ又は１１Ｂによって受信されたアナログ放送又はデジタル放送に対応する映像をディスプレイ１５に表示するものである。具体的には、チューナ部１１１Ａ又はチューナ部１１１Ｂによってアナログ放送が受信された場合に、表示制御部１６１は、受信された信号を、ＮＴＳＣデコーダ１３を介して映像情報に変換し、出力部１４を介してディスプレイ１５に表示するものである。
【００５２】
また、チューナ部１１１Ａ（又はチューナ部１１１Ｂ）によって暗号化されていないデジタル放送が受信された場合に、表示制御部１６１は、受信された信号を、復調部１１２Ａ（又は復調部１１２Ｂ）を介して復調し、復調された出力情報からＴＳデマルチプレクサ１１３Ａ（又はＴＳデマルチプレクサ１１３Ｂ）を介して映像情報を抽出し、更に、抽出された映像情報を、ＭＰＥＧ２デコード部１２を介して復号化し、復号化された映像情報を、出力部１４を介してディスプレイ１５に表示するものである。
【００５３】
また、表示制御部１６１は、受信部１１Ａ又は１１Ｂによって暗号化されたデジタル放送が受信された場合に、復号部２３によって復号化されたデジタル放送に対応する映像をディスプレイ１５に表示するものである。具体的には、チューナ部１１１Ａ（又はチューナ部１１１Ｂ）によって暗号化されたデジタル放送が受信された場合に、表示制御部１６１は、受信された信号を、復調部１１２Ａ（又は復調部１１２Ｂ）を介して復調し、復調された出力情報を、復号部２３を介して復号化（＝デスクランブル）し、復号化（＝デスクランブル）された出力情報からＴＳデマルチプレクサ１１３Ａ（又はＴＳデマルチプレクサ１１３Ｂ）を介して映像情報を抽出し、更に、抽出された映像情報を、ＭＰＥＧ２デコード部１２を介して復号化し、復号化された映像情報を、出力部１４を介してディスプレイ１５に表示するものである。
【００５４】
更に、表示制御部１６１は、制御信号受信部１１Ｃによって更新指示信号が受信された場合に、暗号化されたデジタル放送を表示することができない旨の情報をディスプレイ１５に表示するものである。
【００５５】
具体的には、表示制御部１６１は、ＣＰＵ２１（後述する更新実行部２１１）から、更新指示信号が受信された旨の情報が受信されてから、ＣＰＵ２１（後述する更新実行部２１１）から更新が終了した旨の情報が受信されるまでの間、暗号化されたデジタル放送を表示することができない旨の情報（例えば、「スクランブル放送を表示するためのソフトウェアを更新中です。スクランブル放送は表示できません！」との文字情報）を、ＯＳＤ（Ｏｎ−Ｓｃｒｅｅｎ  Ｄｉｓｐｌａｙ）として出力部１４を介してディスプレイ１５に表示するものである。
【００５６】
ＩＣカード２は、受信部１０１から暗号化されたデジタル放送が受信された場合に、受信された暗号化されたデジタル放送を復号化するものであって、ＣＰＵ２１、メモリ２２、復号部２３、及び、インターフェイス部２４を備えている。
【００５７】
ＣＰＵ２１は、ＩＣカード２全体の制御を行うものである。インターフェイス部２４は、放送受信機１０との間の通信を行うものである。メモリ２２は、フラッシュメモリ等の不揮発性メモリであって、復号部２３が復号化処理を実行するためのファームウェア情報を格納するものである。復号部２３（復号化手段に相当する）は、受信部１１Ａ（又は受信部１１Ｂ）から暗号化されたデジタル放送が受信された場合に、インターフェイス部２４を介して復調部１１２Ａ（又は復調部１１２Ｂ）から入力される暗号化されたデジタル放送を復号化し、復号化された映像情報を、インターフェイス部２４を介してＴＳデマルチプレクサ１１３Ａ（又はＴＳデマルチプレクサ１１３Ｂ）へ出力するものである。
【００５８】
また、ＣＰＵ２１は、機能的に、更新実行部２１１を備え、メモリ２２は機能的に復号化情報記憶部２２１を備えている。ここでは、ＣＰＵ２１が、図略のＲＯＭ等に予め格納された制御プログラムを読み出して実行することにより、更新実行部２１１等の機能部として機能すると共に、メモリ２２を復号化情報記憶部２２１等の機能部として機能させるものである。
【００５９】
復号化情報記憶部２２１（復号化情報記憶手段に相当する）は、更新実行部２１１によって取得されたファームウェア情報を格納するものである。更新実行部２１１（更新実行手段に相当する）は、制御信号受信部１１Ｃによってファームウェアを更新する旨の指示情報である更新指示信号が受信された場合に、受信部１１Ｂを介して、ファームウェア情報を取得して、取得されたファームウェア情報をインストールするものである。
【００６０】
具体的には、制御信号受信部１１Ｃによって更新指示信号が受信された場合に、更新実行部２１１は、ＣＰＵ１６に対して、チューナ部１１１Ｂを、予め設定されたファームウェア情報を受信するチャンネル（＝周波数）に設定させ、ファームウェア情報を受信させる。そして、更新実行部２１１は、ＣＰＵ１６に対して、チューナ部１１１Ｂによって受信されたファームウェア情報を、復調部１１２Ｂに対して復調させる。更に、更新実行部２１１は、インターフェイス部１０８、インターフェイス部２４を介して、復調部１１２Ｂによって復調されたファームウェア情報を取得して、復号化情報記憶部２２１に格納する。そして、更新実行部２１１は、ファームウェア情報の取得が完了した後に、ファームウェアをインストールする。
【００６１】
図２は、放送受信機１においてテレビジョン放送を受信する場合のデータフローの一例を示すデータフロー図である。なお、以下に示すデータフローの制御は、全て表示制御部１６１によって行われる。まず、放送受信機１において受信部１１Ａを介してアナログ放送を受信する場合について説明する。図の太破線で示すように、受信部１１Ａによって受信された信号は、ＮＴＳＣデコーダ１３によって映像情報に変換され、出力部１４によってディスプレイ１５に表示される。
【００６２】
次に、放送受信機１において受信部１１Ａを介して暗号化されていないデジタル放送を受信する場合について説明する。図の太線で示すように、受信部１１Ａによって受信された信号は、復調部１１２Ａによって復調され、復調された出力情報からＴＳデマルチプレクサ１１３Ａによって映像情報が抽出され、更に、抽出された映像情報が、ＭＰＥＧ２デコード部１２に復号化され、復号化された映像情報が、出力部１４によってディスプレイ１５に表示される。
【００６３】
更に、放送受信機１において受信部１１Ｂを介して暗号化されたデジタル放送を受信する場合について説明する。図の細破線で示すように、チューナ部１１１Ｂによって受信された信号は、復調部１１２Ｂによって復調され、復調された出力情報は、インターフェイス部１０８、インターフェイス部２４を介して、復号部２３によって復号化（＝デスクランブル）され、復号化（＝デスクランブル）された出力情報からＴＳデマルチプレクサ１１３Ｂによって映像情報が抽出され、更に、抽出された映像情報が、ＭＰＥＧ２デコード部１２によって復号化され、復号化された映像情報が、出力部１４を介してディスプレイ１５に表示される。
【００６４】
図３は、放送受信機１において更新指示信号が受信された場合のデータフローの一例を示すデータフロー図である。図の太線で示すように、制御信号受信部１１Ｃによって受信された更新指示信号は、インターフェイス部１０８、インターフェイス部２４を介して、更新実行部２１１によって受信される。そして、更新実行部２１１によって更新指示信号が受信されると、図の破線で示すように、更新実行部２１１によって、ファームウェア情報を取得する旨の指示情報が、インターフェイス部１０８、インターフェイス部２４を介して、ＣＰＵ１６に対して出力される。
【００６５】
図４は、放送受信機１においてファームウェア情報を受信する場合のデータフローの一例を示すデータフロー図である。なお、ここでは、受信部１１Ａを介して、暗号化されていないデジタル放送を受信中である場合について説明する。すなわち、図の太破線で示すように、表示制御部１６１からの指示に従って、受信部１１Ａによって受信されたデジタル放送の信号は、復調部１１２Ａによって復調され、復調された出力情報からＴＳデマルチプレクサ１１３Ａによって映像情報が抽出され、更に、抽出された映像情報が、ＭＰＥＧ２デコード部１２に復号化され、復号化された映像情報が、出力部１４によってディスプレイ１５に表示されている。
【００６６】
また、以下に示すデータフローの制御は、更新実行部２１１からの指示に基づいて行われる。チューナ部１１１Ｂによって、予め設定されたファームウェア情報を受信するチャンネル（＝周波数）に設定され、ファームウェア情報が受信される。そして、チューナ部１１１Ｂによって受信されたファームウェア情報が、復調部１１２Ｂによって復調される。更に、復調部１１２Ｂによって復調されたファームウェア情報が、インターフェイス部１０８、インターフェイス部２４を介して、復号化情報記憶部２２１に格納される。
【００６７】
図５は、放送受信機１（主にＣＰＵ１６、ＣＰＵ２１）の動作の一例を示すフローチャートである。まず、更新実行部２１１によって、更新指示信号が受信されたか否かの判定が行われる（Ｓ１０１）。更新指示信号が受信されていないと判定された場合（Ｓ１０１でＮＯ）には、処理が待機状態とされる。更新指示信号が受信されたと判定された場合（Ｓ１０１でＹＥＳ）には、更新実行部２１１によって、チューナ部１１１Ａ（又は１１１Ｂ）が、予め設定されたファームウェア情報を受信するチャンネル（＝周波数）に設定される（Ｓ１０３）。そして、更新実行部２１１によって、チューナ部１１１Ａ（又は１１１Ｂ）を介してファームウェア情報の受信が開始される（Ｓ１０７）。
【００６８】
次に、更新実行部２１１からの更新指示信号が受信された旨の情報が表示制御部１６１によって受け付けられ、表示制御部１６１によって、暗号化されたデジタル放送を表示することができない旨のガイダンス情報がディスプレイ１５に表示される（Ｓ１０７）。そして、更新実行部２１１によって、ファームウェア情報の受信が完了したか否かの判定が行われる（Ｓ１０９）。受信が完了していないと判定された場合（Ｓ１０９でＮＯ）には、処理が待機状態とされる。受信が完了したと判定された場合（Ｓ１０９でＹＥＳ）には、更新実行部２１１によって受信されたファームウェア情報がインストールされる（Ｓ１１１）。そして、更新実行部２１１からのファームウェアの更新が終了した旨の情報が表示制御部１６１によって受け付けられ、表示制御部１６１によって、ステップＳ１０７において表示されたガイダンス情報が消去され（Ｓ１１３）、処理が終了される。
【００６９】
このようにして、受信部１１Ａによって、１のデジタル放送が受信され、受信された１のデジタル放送に対応する映像がディスプレイ１５に表示される。また、制御信号受信部１１Ｃによって、ファームウェアを更新する旨の指示情報である更新指示信号が受信された場合に、受信部１１Ｂによって、他のデジタル放送を介してファームウェア情報が受信されて取得され、更新実行部２１１によって、取得されたファームウェア情報がインストールされるため、利便性良好にファームウェア情報を更新することができる。
【００７０】
すなわち、ファームウェア情報が受信する受信手段（＝受信部１１Ｂ）とは別に、デジタル放送を受信する受信手段（＝受信部１１Ａ）を備えるため、受信部１１Ｂを介してファームウェア情報を受信中であっても、受信部１１Ａを介してデジタル放送の番組を視聴することができるので、利便性良好にファームウェア情報を更新することができるのである（図４参照）。
【００７１】
また、復号化情報記憶部２２１に、暗号化されたデジタル放送を復号化するファームウェア情報が格納されており、受信部１１Ａ又は受信部１１Ｂによって暗号化されたデジタル放送が受信された場合に、復号部２３によって、復号化情報記憶部２２１に格納されたファームウェアを介して、受信された暗号化されたデジタル放送が復号化され、復号化されたデジタル放送に対応する映像がディスプレイ１５に表示されるため、暗号化されたデジタル放送を復号化して視聴することができるので、利便性を向上することができる（図２の細破線参照）。
【００７２】
更に、ファームウェア情報が、復号化情報記憶部２２１に格納されているため、利便性良好に復号化情報記憶部２２１に格納されたファームウェア情報を更新することができる。
【００７３】
加えて、更新実行部２１１、復号化情報記憶部２２１及び復号部２３が形成されたＩＣカード２との通信が行われ、ＩＣカード２が着脱自在に構成されているため、利便性を更に向上することができる。
【００７４】
すなわち、復号化処理に関する機能を搭載するＩＣカード２が着脱自在に構成されているため、例えば、新たなＩＣカード２を装着するべくユーザに通知することによって、放送局（＝番組提供者）側が復号化処理に関する機能を改変等することができるので、利便性を更に向上することができるのである。
【００７５】
また、受信部１１Ａ、受信部１１Ｂ及び制御信号受信部１１Ｃによって、ケーブルを介して情報が受信され、制御信号受信部１１Ｃによって、放送信号の周波数帯域とは異なる予め設定された特定の周波数帯域を介して、更新指示信号が受信されるため、更新指示信号を確実に受信することができる。
【００７６】
すなわち、放送信号の周波数帯域とは異なる予め設定された特定の周波数帯域（例えば、ＵＨＦ（＝Ｕｌｔｒａ  Ｈｉｇｈ  Ｆｒｅｑｕｅｎｃｙ）の周波数帯域と、ＶＨＦ（＝Ｖｅｒｙ  Ｈｉｇｈ  Ｆｒｅｑｕｅｎｃｙ）の波数帯域と、の間の周波数帯域）を介して、更新指示信号が受信されるため、帯域フィルタ等を介して放送波の周波数帯域と確実に分離することができるので、更新指示信号を確実に受信することができるのである。
【００７７】
更に、制御信号受信部１１Ｃによって更新指示信号が受信された場合に、暗号化されたデジタル放送を表示することができない旨の情報がディスプレイ１５に表示されるため、利便性を更に向上することができる。
【００７８】
すなわち、復号化情報記憶部２２１に格納されたファームウェア情報を更新中は、復号化処理を実行することができないため、暗号化されたデジタル放送を表示することができない。そこで、その旨の情報がディスプレイ１５に表示されることによって、ユーザは、暗号化されたデジタル放送を表示することができないことを知ることができるので、利便性を更に向上することができるのである。
【００７９】
なお、本発明は、以下の形態にも適用可能である。
（Ａ）本実施形態では、デジタル放送受信装置が、アナログ放送及びデジタル放送を受信する放送受信機１である場合について説明したが、デジタル放送受信装置がデジタル放送のみを受信する放送受信機である形態でもよい。
【００８０】
（Ｂ）本実施形態では、モニタが放送受信機１に配設されたディスプレイ１５である場合について説明したが、モニタが放送受信機１とは別の装置として構成されている形態でもよい。例えば、モニタがパーソナルコンピュータ等に配設されたモニタである形態でもよい。
【００８１】
（Ｃ）本実施形態では、ソフトウェア情報が、復号化情報記憶部２２１に格納されたファームウェア情報である場合について説明したが、その他のファームウェア情報である形態でもよいし、その他のソフトウェア情報である形態でもよい。例えば、ソフトウェア情報が、放送受信機１に配設された機器のドライバとして機能するファームウェア情報である形態でもよい。また、例えば、ソフトウェア情報が、放送受信機１で使用されるメニュー画面表示ソフト等のソフトウェア情報である形態でもよい。
【００８２】
（Ｄ）本実施形態では、ソフトウェア情報が、着脱自在に構成されたＩＣカード２に格納されている場合について説明したが、放送受信機１に配設されたＲＡＭ１７等に格納されている形態でもよい。この場合には、更新処理が簡略化される。
【図面の簡単な説明】
【００８３】
【図１】は、本発明に係る放送受信機の構成の一例を示すブロック図である。
【図２】は、放送受信機においてテレビジョン放送を受信する場合のデータフローの一例を示すデータフロー図である。
【図３】は、放送受信機において更新指示信号が受信された場合のデータフローの一例を示すデータフロー図である。
【図４】は、放送受信機においてファームウェア情報を受信する場合のデータフローの一例を示すデータフロー図である。
【図５】は、放送受信機の動作の一例を示すフローチャートである。
【図６】は、従来の放送受信機の構成の一例を示すブロック図である。
【符号の説明】
【００８４】
１    放送受信機（デジタル放送受信装置）
１１Ａ    受信部（第１受信手段）
１１Ｂ    受信部（第２受信手段）
１１Ｃ    制御信号受信部（第３受信手段）
１５    ディスプレイ（モニタ）
１６    ＣＰＵ
１６１    表示制御部（表示制御手段）
１８    インターフェイス部（通信手段）
２    ＩＣカード
２１    ＣＰＵ
２１１    更新実行部（更新実行手段）
２２    メモリ
２２１    復号化情報記憶部（復号化情報記憶手段）
２３    復号部（復号化手段）
【図１】
2008199242.tif 000003
【図２】
2008199242.tif 000004
【図３】
2008199242.tif 000005
【図４】
2008199242.tif 000006
【図５】
2008199242.tif 000007
【図６】
2008199242.tif 000008